(57)【特許請求の範囲】
【請求項１】
尖部を有し、粒状若しくは粉末状のＳｉ，ＳｉＯx （０＜ｘ≦２），鉱物，Ａｌ，Ｐ，Ｇｅ，Ｓｎ，Ｐｂ，Ｎｉ又はＦｅが封入された、１又は複数の第１ガラス容器部をその端部に備えた静電気軽減除去具を１又は複数、人体に向けた状態で、昇降自在に支持するための支持台を１又は複数備えたことを特徴とする静電気軽減除去装置。
【請求項２】
尖部を有し、負に帯電させてある、粒状若しくは粉末状のＳｉ，ＳｉＯx （０＜ｘ≦２），鉱物，Ａｌ，Ｐ，Ｇｅ，Ｓｎ，Ｐｂ，Ｎｉ又はＦｅが封入された、１又は複数の第１ガラス容器部をその端部に備えた静電気軽減除去具を１又は複数、人体に向けた状態で、昇降自在に支持するための支持台を１又は複数備えたことを特徴とする静電気軽減除去装置。
【請求項３】
尖部を有し、粒状若しくは粉末状のＳｉ，ＳｉＯx （０＜ｘ≦２），鉱物，Ａｌ，Ｐ，Ｇｅ，Ｓｎ，Ｐｂ，Ｎｉ又はＦｅが封入された、１又は複数の第１ガラス容器部をその端部に備えた静電気軽減除去具を１又は複数、人体に向かう方向に進退可能に支持するための支持台を１又は複数備えたことを特徴とする静電気軽減除去装置。
【請求項４】
尖部を有し、負に帯電させてある、粒状若しくは粉末状のＳｉ，ＳｉＯx （０＜ｘ≦２），鉱物，Ａｌ，Ｐ，Ｇｅ，Ｓｎ，Ｐｂ，Ｎｉ又はＦｅが封入された、１又は複数の第１ガラス容器部をその端部に備えた静電気軽減除去具を１又は複数、人体に向かう方向に進退可能に支持するための支持台を１又は複数備えたことを特徴とする静電気軽減除去装置。
【請求項５】
前記静電気軽減除去具は、前記第１ガラス容器部を振動させ、又は中心軸回りに回転させるための駆動装置を備えることを特徴とする請求項１乃至４のいずれかに記載の静電気軽減除去装置。
【発明の詳細な説明】
【技術分野】
【０００１】
本発明は、肩こり及び腰痛等の筋肉痛その他の症状を改善するための静電気軽減除去装置に関する。
【背景技術】
【０００２】
筋肉痛は、筋肉の緊張が亢進して生じ、いわゆる「こり」という自覚症状を伴うことが多い。筋肉がこる場合の最も一般的な原因は疲労である。疲労により筋肉の血液の循環に障害が生じると、酸素及びエネルギー源の供給が充分でなくなり、嫌気性解糖がさかんに行われるようになる。その結果、産生された乳酸等の疲労物質が蓄積されて、筋肉のタンパク質が膠質化学的変化を起こし、筋肉の硬度が増加して「こり」の状態になる。また、精神的緊張及び内蔵に疼痛の原因になるような疾患がある場合の筋肉の反射性緊張も筋肉の「こり」の原因となる。
【０００３】
「こり」は、筋肉内又はその筋肉が付着する骨膜に分布する知覚神経が筋肉の緊張により機械的刺激を受けるため、痛みとして自覚される。筋肉の血流障害が筋繊維の萎縮と筋繊維内脂肪湿潤とを引き起こし、引き続いて起こる限局性筋炎がの原因となることもある。
【０００４】
いずれにしても筋肉の緊張によって血流量が減少すると、微小血管拡張系が活動してカリウムイオン及び乳酸等の発痛物質の遊離が促進される。また、ｐＨが低下している筋組織では発痛物質を破壊する酵素の活動は抑制されており、阻血によって発痛物質の流出が妨げられ、筋肉内に蓄積されることも疼痛の発現の原因となる。
【０００５】
筋肉痛の予防は、筋肉を鍛えて疲労が起こりにくくすることが第一であると言われている。筋肉痛が生じた場合には、筋肉を休めて疲労を除き、温湿布及びマッサージ等で筋肉の血流を改善しなければならない。
【０００６】
また、古くから東洋医学の分野では、体内の器官を代表する体表のポイント（ツボ又は経穴という）を指圧したり、灸をすえたり、鍼をうつ等の方法で、経絡（体内の各器官とツボとを連絡している道）を流れている「気」と呼ばれるエネルギーの流れを改善し、直接触れることができない器官の治療することが行なわれている。
【０００７】
上述した「こり」の部位及びツボのマッサージをするための従来のマッサージ具には、ハンマー型であって一端に設けられた握り部を握り、他端に設けられた槌部で患部を叩くもの、一端に設けられた握り部を握って他端に設けられた押圧部で患部を押圧するもの、及びペンシル型であって先端部を患部に当ててモータにより振動させるもの等がある。
【０００８】
しかしながら上述のマッサージ具では、筋肉の血流が充分には改善されず、各症状が充分に改善しないという問題があった。また、スポット的に押圧するので、全般的にマッサージするには、複数回、押圧位置を変えてマッサージする必要があった。
【発明の概要】
【発明が解決しようとする課題】
【０００９】
ところで、人体の体表面又は体内がプラスに帯電している場合、血液及びリンパ液等の体液、並びに気の流れが悪くなり、血圧上昇、血糖増加、血管収縮及び利尿抑制等の生体作用が生じ、その結果、細胞の活性が減じ、人は興奮しやすくなり、不快感があり、不眠になり、食欲が減退する等の症状が現れ、美容上のトラブル、筋肉痛等の健康障害及び疾病が誘発されることが知られている。
【００１０】
このような静電気を軽減除去する方法としては、物体の導電性を高めて電荷を迅速に逃す方法（例えば一端が地中に埋め込まれたアース線に接続する方法）、発生した電荷にアイソトープ、交流コロナ放電を利用した除電器で異極性のイオンを供給しこれを中和する方法、空中放電する方法等がある。
【００１１】
また、正の静電気を中和し、又はマイナスに転じさせて美容上のトラブル、健康障害及び疾病の発生を防止するために、負電荷が発生する機能が付加された空気清浄機等の種々の機器、寝具（布団、枕）及び衣類等が開発されている。
【００１２】
しかしながら前者の方法では静電気を完全に除去することは困難であり、まして正の静電気を負に転じるには大がかりな装置が必要であった。
また、後者の機器等からは大気中に負電荷が拡散し、人体に直接作用する負電荷の量は少なく、人体に帯電している静電気の中和、即ち静電気の軽減除去が十分でなかった。従って、それらの機器は十分に機能していないという問題があった。
【００１３】
本発明は斯かる事情に鑑みてなされたものであり、本願の第１、第３発明は、尖部を有し、粒状若しくは粉末状のＳｉ，ＳｉＯx （０＜ｘ≦２），鉱物，Ａｌ，Ｐ，Ｇｅ，Ｓｎ，Ｐｂ，Ｎｉ又はＦｅが封入された、１又は複数の第１ガラス容器部をその端部に備えることにより、この第１ガラス容器部の尖部をタオルを介し患部に押圧し、その結果、筋肉の血流を充分に改善することができる静電気軽減除去具を備える静電気軽減除去装置を提供することを目的とする。Ｓｉの酸化物としては、ＳｉＯ2 又はＳｉＯだけでなく、ｘとして小数点付きの酸化物もあり、この存在は永見剛一が著した「ＳｉＯ蒸着膜の性質」という研究論文で明らかにされている。
【００１４】
本願の第２、第４発明は、Ｓｉ等を負に帯電させることにより、人体に直接負電荷を供給して人体に帯電している正電荷を中和、即ち静電気を軽減除去して、その結果、体液等の流れを良くし、筋肉痛等の症状を軽減することができる静電気軽減除去具を備える静電気軽減除去装置を提供することを目的とする。
ここで、負に帯電するとは、負電荷を与えられること、負の静電気を帯びることを意味し、マイナスイオン化ともいう。
【００１５】
そして、本願の第１乃至第４発明は、静電気軽減除去具を支持台によって支持することにより、回転時に静電気軽減除去具が固定されるとともに、人体の前後で同時に強力に静電気軽減除去を行うことができ、負電荷が人体に効率良く供給され、その結果、各症状の改善効果が高い静電気軽減除去装置を提供することを目的とする。
本願の第５発明は、第１ガラス容器部を振動させ、又は尖部の中心軸回りに回転させる駆動装置を備えることにより、静電気除去の即効性が高く、人体の深部に帯電している静電気を除去することも可能になる静電気軽減除去具を提供することを目的とする。
【課題を解決するための手段】
【００１６】
第１発明の静電気軽減除去装置は、尖部を有し、粒状若しくは粉末状のＳｉ，ＳｉＯx （０＜ｘ≦２），鉱物，Ａｌ，Ｐ，Ｇｅ，Ｓｎ，Ｐｂ，Ｎｉ又はＦｅが封入された、１又は複数の第１ガラス容器部をその端部に備えた静電気軽減除去具を１又は複数、人体に向けた状態で、昇降自在に支持するための支持台を１又は複数備えたことを特徴とする。
第１発明においては、第１ガラス容器部の尖部をタオルを介し患部に押圧することにより、筋肉の血流を充分に改善することができ、特に第１ガラス容器部を複数備えた場合には、効率よく静電気軽減除去を行うことができる。
【００１７】
第２発明の静電気軽減除去装置は、尖部を有し、負に帯電させてある、粒状若しくは粉末状のＳｉ，ＳｉＯx （０＜ｘ≦２），鉱物，Ａｌ，Ｐ，Ｇｅ，Ｓｎ，Ｐｂ，Ｎｉ又はＦｅが封入された、１又は複数の第１ガラス容器部をその端部に備えた静電気軽減除去具を１又は複数、人体に向けた状態で、昇降自在に支持するための支持台を１又は複数備えたことを特徴とする。
後述する方法により負に帯電したＳｉを封入した、底部の直径６ｃｍ、高さ６ｃｍの円錐状の第１ガラス容器部を、島津製作所（株）製ファラデーケージの中に入れ、島津製作所（株）製ステティック モニタＭ６により電荷量を測定した。その結果、ファラデーケージ内の電荷量は−１．０７５×１０-9クーロン、イオン数は略６７億個であることが判り、ガラス容器部が負に帯電していることが確認された。
【００１８】
第２発明においては、負に帯電したＳｉ等が封入された第１ガラス容器部を備えており、この第１ガラス容器部の尖部から負電荷が放出される。負電荷が生体に供給され、患部に帯電していた正の静電気が軽減除去されると、体液等の流れが良くなり、血圧下降、血糖減少、血管拡張及び利尿促進等の生体作用が生じることが知られているが、この静電気軽減除去具を使用することにより、負電荷が人体に効率よく供給されて人体に帯電していた静電気が軽減除去されるので、その結果、筋肉痛等の症状が軽減する。
第３発明の静電気軽減除去装置は、尖部を有し、粒状若しくは粉末状のＳｉ，ＳｉＯx （０＜ｘ≦２），鉱物，Ａｌ，Ｐ，Ｇｅ，Ｓｎ，Ｐｂ，Ｎｉ又はＦｅが封入された、１又は複数の第１ガラス容器部をその端部に備えた静電気軽減除去具を１又は複数、人体に向かう方向に進退可能に支持するための支持台を１又は複数備えたことを特徴とする。
第４発明の静電気軽減除去装置は、尖部を有し、負に帯電させてある、粒状若しくは粉末状のＳｉ，ＳｉＯx （０＜ｘ≦２），鉱物，Ａｌ，Ｐ，Ｇｅ，Ｓｎ，Ｐｂ，Ｎｉ又はＦｅが封入された、１又は複数の第１ガラス容器部をその端部に備えた静電気軽減除去具を１又は複数、人体に向かう方向に進退可能に支持するための支持台を１又は複数備えたことを特徴とする。
第１乃至第４発明においては、重量が重い静電気軽減除去具を支持台に支持し、回転時に静電気軽減除去具を固定して第１ガラス容器部の先端を患部に正確に当接することができる。また、人体の前後で同時に静電気軽減除去を行うことができるので、負電荷が人体に効率良く供給され、その結果、各症状の改善効果が高くなる。
【００１９】
第５発明の静電気軽減除去装置は、第１乃至第４発明のいずれかにおいて、前記静電気軽減除去具は、前記第１ガラス容器部を振動させ、又は中心軸回りに回転させるための駆動装置を備えることを特徴とする。
前記第１ガラス容器部を静止、振動又は回転させた場合それぞれにつき、ガラス容器部近傍の静電電位を測定した。測定条件は以下の通りである。
【００２０】
測定室：６ｍ×９ｍ×２．７ｍ
室温：２４℃
湿度：３３％
測定器：静電電位測定器（春日電気（株）製ＫＳＤ０１０３）
第１ガラス容器部：底面の直径６ｃｍ、高さ６ｃｍ、後述する焼成後のメタリックシリコンを封入
測定方法：（１）第１ガラス容器を絶縁体からなるテーブル上に静置する、
（２）第１ガラス容器部を上記テーブルに載置した振動装置（リョービ（株）製Ｓ−５５０）に載せて振動させる、
（３）第１ガラス容器部を上記テーブルに載置したモータ（オリエンタルモータ（株）製４ＩＫ６０Ａ−ＢＦ）により回転させる（回転数３２００ｒｐｍ）、
の３つの場合につき、第１ガラス容器部の頂点及び底面から水平方向に３ｃｍ離れた位置において、上記測定器により静電電位を測定するのを複数回繰り返した。
その結果を表１に示す。
【００２１】
【表１】
0004387077.tif 000002
【００２２】
（１）、（２）、（３）それぞれの場合につき室内の静電電位を測定すると、−０．１ｋＶ、−０．０ｋＶ、−０．０ｋＶであった。なお、第１ガラス容器部配置前の室内の静電電位は０．１ｋＶ〜０．２ｋＶであった。表１より第１ガラス容器部は負電荷を放出しており、その電位の絶対値は（３）回転、（２）振動、（１）静置の順に大きいことが確認された。
【００２３】
第５発明においては、ガラス容器部を回転又は振動させる駆動装置を備えており、ガラス容器部を回転又は振動させて使用するので、上述したように、負電荷がより多く放出され、人体に対する静電気除去の即効性が高く、深部に帯電している静電気を除去することが可能になる。従って、人体の患部に当接した場合には体液の流れをさらに良好にして、症状を軽減することができる。
【００２４】
メタリックシリコン及び底面の直径３ｍｍ、高さ３ｍｍの円錐状の第１ガラス容器部１０００個を、底面の直径１８ｃｍ、高さ１８ｃｍの円錐状の第１ガラス容器部に封入し、該第１ガラス容器部のガラスの静電電位を前記静電電位測定器で測定したところ（室温２０℃、湿度６０％）、０．０ｋＶであり、これを回転させた場合も０．０ｋＶであった。このとき、室内空間の静電電位は、回転前は０．２ｋＶ、回転開始直後は−０．２ｋＶ、１〜５分経過後は−０．０ｋＶであった。
【００２５】
第１ガラス容器部にメタリックシリコンが封入された静電気軽減除去具、及び第１ガラス容器部に、メタリックシリコンに加えて微小の第１ガラス容器部が封入された静電気軽減除去具各々について、第１ガラス容器部を回転させた状態で人体に当てた場合、前者の静電気軽減除去具の使用時には皮膚に水泡が生じていたが、後者の静電気軽減除去具の使用時には水泡が見られなくなったり、水泡の程度が軽くなることが確認されている。
【発明の効果】
【００２６】
第１、第３発明による場合は、第１ガラス容器部の尖部を患部に押圧することにより、筋肉の血流を充分に改善することができ、特に第１ガラス容器部を複数備えた場合には、効率よく静電気軽減除去を行うことができる。
第２、第４発明による場合は、負に帯電したＳｉ等が封入された第１ガラス容器部を備えており、この第１ガラス容器部の尖部から負電荷が放出される。この静電気軽減除去具を使用することにより、負電荷が人体に効率よく供給されるので、その結果、筋肉痛等の症状が軽減する。
第１乃至第４発明による場合は、重量が重い静電気軽減除去具を支持台に固定し、回転時に静電気軽減除去具を固定して第１ガラス容器部の先端を患部に正確に当接することができる。また、人体の前後で同時に静電気軽減除去を行うことができるので、負電荷が人体に効率良く供給され、その結果、各症状の改善効果が高くなる。
【００２７】
第５発明による場合は、第１ガラス容器部を回転又は振動させる駆動装置を備えており、第１ガラス容器部を回転又は振動させて使用するので、負電荷がより多く放出され、静電気除去対象物に対する静電気除去の即効性が高く、深部に帯電している静電気を除去することが可能になる。従って、人体の患部に当接した場合に、体液の流れをさらに良好にして、症状を軽減することができる。
【図面の簡単な説明】
【００２８】
【図１】実施の形態１に係る静電気軽減除去具を示す斜視図である。
【図２】実施の形態１に係る静電気軽減除去具を示す断面図である。
【図３】本発明に係る静電気軽減除去具の製造に適用する負電荷付与装置を示す斜視図である。
【図４】メタリックシリコンを焼成する建物及び敷地を示す側面図である。
【図５】メタリックシリコンを焼成する建物及び敷地を示す平面図である。
【図６】実施の形態２に係る静電気軽減除去具を示す斜視図である。
【図７】実施の形態２に係る静電気軽減除去具を示す断面図である。
【図８】実施の形態３に係る静電気軽減除去具を示す斜視図である。
【図９】実施の形態４に係る静電気軽減除去具を示す断面図である。
【図１０】本発明の実施の形態５に係る静電気軽減除去装置を示す側面図である。
【図１１】実施の形態５に適用する静電気軽減除去具を示す断面図である。
【図１２】本発明の実施の形態６に係る静電気軽減除去装置を示す側面図である。
【図１３】本発明の実施の形態７に係る静電気軽減除去装置を示す側面図である。
【図１４】頭部の静電気軽減除去部位を示した側面図である。
【図１５】耳部の静電気軽減除去部位を示した正面図である。
【図１６】胴体部の静電気軽減除去部位を示した側面図である。
【図１７】肩部及び腕部の静電気軽減除去部位を示した正面図である。
【発明を実施するための形態】
【００２９】
以下、本発明をその実施の形態を示す図面に基づき具体的に説明する。
実施の形態１．
図１は実施の形態１に係る静電気軽減除去具を示す斜視図、図２はその断面図であり、図中１は静電気軽減除去具である。
静電気軽減除去具１は、モータ１９（オリエンタルモータ社製４ＩＫ６０Ａ−ＢＦ：出力６０Ｗ、定格トルク１．８５ｋｇ／ｃｍ、定格回転数３２００ｒｐｍ）をその内部にネジ止めした円筒状のモータ収納部１４を備えている。モータ収納部１４の一端はテーパ状に形成されており、この一端側に、円錐状の第１ガラス容器部１１の底部を収納したガラス容器収納部１２が、モータ１９に取り付けられた回動軸１３により軸支されている。
【００３０】
モータ収納部１４の他端には、底蓋部２０がボルト２５，２５により取り付けられている。モータ１９と底蓋部２０との間には、これらと平行に、円板状の第２ガラス容器部取付け板２６が設けられており、第２ガラス容器部取付け板２６の下面には、尖部を底蓋部２０側に向けて、擬宝珠形の第２ガラス容器部１６が取り付けられている。第１ガラス容器部１１及び第２ガラス容器部１６は、底面の直径６０ｍｍ、高さ６０ｍｍであり、後述する方法により負に帯電させた粒状のメタリックシリコン２が封入されている。
【００３１】
モータ収納部１４の略中央部には、アーム部１５ａ，１５ａと、このアーム部１５ａ，１５ａの端部同士を橋絡する握り部１５ｂとからなる取っ手１５が、回動自在に取り付けられており、モータ１９には電源コード１７が接続されている。
この実施の形態１の静電気軽減除去具１の第１ガラス容器部１１を含む全長は３３０ｍｍ、直径は１５０ｍｍ、重量は７．５ｋｇである。
第１ガラス容器部１１及び第２ガラス容器部１６に封入されるメタリックシリコンは、以下のようにして負電荷を付与される。
【００３２】
図３は、本発明に係る静電気軽減除去具の製造に適用する負電荷付与装置を示す斜視図である。
負電荷付与装置は、石英坩堝５、銅板６、コード７及び静電気軽減除去装置８を備えたものである。静電気軽減除去装置８は、特開平１１−８７０８６号公報に開示されている。開口面の内径が略４０ｃｍ、高さが略４０ｃｍの石英坩堝５の開口側外縁部及び底部が、それぞれ銅板６及びコード７を介して静電気軽減除去装置８に接続されている。
【００３３】
静電気軽減除去装置８を作動させ、石英坩堝５に負電荷を３時間程度供給し、石英坩堝５から正の静電気を十分に除去した後、Ｓｉ純度が９９．５％のメタリックシリコン（粒径０．２〜２ｍｍ；エルケム社製）２を１ｋｇ、開口側から石英坩堝５に投入し、静電気軽減除去装置８を作動させた状態で、所定時間（３〜１５分）放置し、メタリックシリコン２を負に帯電させる。
次に、前記メタリックシリコン２を焼成する。
【００３４】
図４は、メタリックシリコン２を焼成する建物及び敷地を示す側面図であり、図５はその平面図である。１００坪の敷地２２の中央部に、建物２１（底面３．６ｍ×９．０ｍ）が建てられている。
敷地２２の四隅と中央（建物２１の中央）には、地下５ｍの深さに、長さ１．５ｍ、直径８ｃｍのガラス管９１に、粒状又は粉末状の５〜６ｋｇの珪素（Ｓｉ）９２を封入、密閉したものであるイオン棒９（特許第２８９６７６２号）がその長手方向を上下方向に一致させて、埋設されている。建物２１の中央部には電気炉２３が配置されている。
【００３５】
上述のようにして負に帯電したメタリックシリコン２を石英坩堝５から陶器製の坩堝２４に移し、これを、電気炉２３に入れ、８００〜１３００℃で、３０分〜２時間焼成する。坩堝２４は、底面の直径が３０ｃｍ、高さ２０ｃｍである。この坩堝２４も石英坩堝５と同様にして予め負電荷を付与されている。焼成後にメタリックシリコン２は赤、青、緑、黄、紫及びエンジのうちのいずれかの色になる。
【００３６】
なお、イオン棒９のガラス管９１の長さ及び直径、並びにＳｉ９２の量は、建物２１及び敷地２２の大きさ等により適宜選択すればよい。イオン棒９の埋設位置、深さ及びその個数も、建物２１及び敷地２２の大きさ及び形状等を考慮して適宜選択する。
そして、この実施形態においては、ガラス管９１にＳｉ９２を封入しているが、ＳｉＯx を封入してもよい。この場合、ｘは、１．０＜ｘ≦２．０であるのが好ましい。
【００３７】
さらに、図３の負電荷付与装置を用いる代わりに、メタリックシリコン２を敷地２２内において１日〜１週間以上放置し、その後焼成することにしてもよい。
焼成後のメタリックシリコン２を５ｋｇビニール袋に入れ、高さ２０ｃｍの位置から紙箱（３０ｃｍ×３０ｃｍ×１０ｃｍ）に移し替えたときに、紙箱の上方の静電電位を前記静電電位測定器で測定した結果を次の表２に示す。
【００３８】
【表２】
0004387077.tif 000003
【００３９】
表２よりメタリックシリコン２が負に帯電していることが判る。
次に、焼成後のメタリックシリコン２が１．２ｋｇ封入された、底面の直径１８ｃｍ、高さ１８ｃｍの円錐状の第１ガラス容器部を絶縁体上に載置し、この第１ガラス容器部の斜め上方の静電電位を前記静電電位測定器により１５回測定した。その結果は、各々−０．０、−０．１、−０．３、−０．２、−０．１、−０．１、−０．０、−０．０、−０．２、−０．２、−０．２、−０．０、−０．３、−０．０、−０．１、−０．０−０．０、−０．３ｋＶであった。
本発明に係る静電気軽減除去具１は、第１ガラス容器部１１を静止させた状態で人体に押圧して使用してもよく、第１ガラス容器部１１を振動又は回転させた状態で使用してもよい。第１ガラス容器部１１を静止させて使用した場合は、人体に帯電していた静電気を徐々に除去するのに対し、回転させて使用した場合は、急速に静電気を除去することができ、即効性が高い。また、人体の深部に帯電している静電気を除去することも可能である。
【００４０】
第１ガラス容器部１１を振動又は回転させることの効果を調べるために、第１ガラス容器部１１により頭髪をなで、その前後における頭髪の静電電位を測定した。測定条件は以下の通りである。
測定室：６ｍ×９ｍ×２．７ｍ
室温：２４℃
湿度：３３％ 測定器：静電電位測定器（春日電気（株）製ＫＳＤ０１０３）
第１ガラス容器部１１：底面の直径６ｃｍ、高さ６ｃｍ、メタリックシリコン２を封入
測定方法：（１）第１ガラス容器部１１静止、
（２）第１ガラス容器部１１を振動装置（リョービ（株）製Ｓ−５５０）に載せて振動させる、
（３）第１ガラス容器部１１をモータ（オリエンタルモータ（株）製４ＩＫ６０Ａ−ＢＦ）により回転させる（回転数２９００ｒｐｍ）、
の３つの場合につき、第１ガラス容器部１１の頂点により頭髪全体を３０秒間なで、その前後における頭髪の静電電位を測定するのを複数回繰り返した。その結果を表３に示す。
【００４１】
【表３】
0004387077.tif 000004
【００４２】
表３より、第１ガラス容器部１１を人体に当接することにより、人体に帯電していた正の静電気が略零に、さらには負の静電気に変化することが確認された。そして、その効果は（３）回転、（２）振動、（１）静止の順に大きいことが確認された。
【００４３】
また、第２ガラス容器部１６をモータ収納部１４の底面に取り付けなかった場合は、静電気軽減除去具１の使用後に第１ガラス容器部１１の内壁に、二酸化鉄が付着して壁面が茶色くなるのが観察されたが、第２ガラス容器部１６を取り付けることにより、この問題が解決され、静電気軽減除去の即効性が増し、静電気除去効果が持続するのが確認された。
【００４４】
静電気軽減除去具１の第１ガラス容器部１１を回動軸１３により回転させて人体に押圧する場合は、８つ折りしたタオルを患部に当て、タオルの複数箇所を尖部により押圧する。患部の帯電量が多い部位を押圧したときには、１〜１０秒間で、タオルが黒くこげつく。２０〜３０秒以上押圧すると、タオルが破れて第１ガラス容器部１１の先端が皮膚に当たり、火傷する。
タオルのこげつきの原因が静電気であることは、８つ折りのタオルを静電電位が５〜２０ｋＶである電気カーペット（春日電気（株））製の静電電位測定器ＫＳＤ０１０３により測定）上に置き、第１ガラス容器部１１を回転させて押圧すると１〜３秒間で黒くこげつくのに対し、机の上等の静電気の帯電がないところにタオルを置き、上記と同様にして第１ガラス容器部１１を回転させ、５〜１０秒間押圧しても黒くこげないことから判る。
【００４５】
次に、実施の形態１に係る静電気軽減除去具１を人体に使用した場合の具体的な症例及び静電気軽減除去具１を使用した効果について説明する。使用時には、第１ガラス容器部１１を３２００ｒｐｍの回転数で回転させた。
（症例１）
３０代の男性は、腰痛及び肩こりの症状があったが、静電気軽減除去具１を使用することにより痛みがなくなり、前屈がしやすくなった。
（症例２）
４０代の女性は、肩こり及び全身の筋肉痛の症状があったが、静電気軽減除去具１を使用することにより全身の筋肉が柔らかくなり、軽快になった。
【００４６】
（症例３）
３０代の女性は、全身がけだるいという症状があったが、静電気軽減除去具１を使用することにより、全身が軽くなった。
（症例４）
４０代の男性は、首に少し痛みがあったが、静電気軽減除去具１を使用することにより、首の痛みが軽減し、全身がより軽くなった。
（症例５）
７０代の男性は、何十年も肩にこりがあり、痛みと苦しさがあったが、静電気軽減除去具１を使用することにより、肩のこりが消滅し、痛みがなくなり、全身が軽快になった。
【００４７】
（症例６）
２０代の男性は、胃の不快感と慢性の下痢の症状があったが、静電気軽減除去具１を使用することにより、胃の不快感が半減し、下痢の回数も半分になった。
（症例７）
５０代の男性は、全身に活力がなく、力が入らないという症状があったが、静電気軽減除去具１を使用することにより、全身に活力が生じた。
（症例８）
５０代の女性は、左の肩甲骨の痛み及び腰痛の症状があったが、静電気軽減除去具１を使用することにより、痛みが軽減した。
（症例９）
３０代の女性は、肩にしこりがあり、首を回すとゴリゴリ音がするという症状があったが、静電気軽減除去具１を使用することにより、肩のしこりがなくなり、首のゴリゴリいう音が軽減した。
（症例１０）
５０代の男性は、五十肩及び胃痛の症状があったが、静電気軽減除去具１を使用することにより、肩のこり及び首筋の突っ張りがなくなり、食後２時間位に現れた胃痛がなくなった。
【００４８】
症例５の男性及び症例８の女性について、経過を調べた。症例５の男性は、それまでの治療では３日〜１週間程度しか効果が持続しなかったのに対し、２６日経過した場合でも肩に痛みが現れなかった。症例８の女性は、８日経過するまで、腕の痛みがほとんどみられなかった。
症例５の男性は、第１ガラス容器部１１を患部に１０秒間押圧させたが、症例８の女性は、痛みを感じたため、第１ガラス容器部１１を２〜３秒間しか押圧させなかった。従って、一定時間以上、患部の最も帯電している部位に第１ガラス容器部１１を押圧させた場合には、患部の静電気が十分に除去され、症状が軽減した状態が持続すると考えられる。
【００４９】
第１ガラス容器部１１を回転させて使用する場合、五十肩のように患部の範囲が狭いときには、患部を複数箇所、５〜１０分間（押圧回数としては１００〜２００回）押圧することにより、痛みが消滅する。腰痛のように患部の範囲が広いときには、一度では痛みが消滅しないので、１日５〜１０分間を１回として３〜１０回、実施する必要があると考えられる。
【００５０】
実施の形態２．
図６は、実施の形態２に係る静電気軽減除去具を示す斜視図、図７はそのＶＩＩ−ＶＩＩ線断面図である。図中、図１及び図２と同一部分は同一符号で示してある。
モータ収納部１４は、直径１３５ｍｍ、高さ１３０ｍｍであり、第１ガラス容器部１１は底面の直径３０ｍｍ、高さ３０ｍｍである。この静電気軽減除去具１は、第ガラス容器部１１及び第２ガラス容器部１６を夫々３つ備えている。第２ガラス容器部１６は、その尖部を底蓋２０側に向けた状態で、モータ収納部１４内に取り付けられている。３つの第１ガラス容器部１１は、各第１ガラス容器部１１の尖部間の間隔が略５０ｍｍになるように、モータ収納部１４の底面に取り付けられている。
【００５１】
この静電気軽減除去具１においては、第１ガラス容器部１１及び第２ガラス容器部１６を３つ備えているので、第１ガラス容器部１１及び第２ガラス容器部１６を１つしか備えていない場合と比較して、効率よく静電気軽減除去を行うことができ、「こり」が激しい箇所等の患部を早く見つけ出して、早く症状を改善させることができる。
【００５２】
この実施の形態２に係る静電気軽減除去具１を人体に使用した場合の具体的な症例及び静電気軽減除去具１を使用した効果を、以下に説明する。使用時には、第１ガラス容器部１１を３０００ｒｐｍの回転数で回転させた。１人１回５〜１０分間実施した。一度の押圧時間は３〜３０秒で、押圧位置を筋肉の組織に沿って移動して実施した。押圧の強さは、静電気軽減除去具１の自重３．５ｋｇプラス０〜１ｋｇであり、患部に４つ折りしたバスタオルを当てた上から押圧した。
【００５３】
（症例１）
５０代の男性は、過労気味で、全身がだるいという症状があったが、背中に実施の形態２に係る静電気軽減除去具を使用することにより、全身のだるさが消え、他の静電気軽減除去具にはない爽快感が得られた。
（症例２）
６０代の女性には便秘の症状があったが、静電気軽減除去具１を使用するとツボに効き、便秘が即座に解消された。
（症例３）
３０代の女性は過労気味であったが、背中に静電気軽減除去具１を使用することにより、全身の力が抜け、使用後には眼の疲れもとれ、すっきりと見えるようになった。
【００５４】
（症例４）
４０代の男性は、左膝を痛めていたが、静電気軽減除去具１を左膝の裏に使用することにより、痛みが減じた。また、腰痛の症状もあったが、右腰及び背中に静電気の軽減除去を行うことにより症状が軽減した。そして、首から頭、耳の回りを静電気軽減除去することにより頭が軽くなり、視界がすっきりとした。
（症例５）
３０代の女性は、肩こり及び疲れの症状があったが、静電気軽減除去具１を使用することにより症状が軽減し、リバウンドもなかった。
（症例６）
７０代の女性は、右腕が上げにくいので指圧に通っているが、右肩に静電気軽減除去具１を使用したところ、指圧した場合よりも腕の上がり方がよくなった。
（症例７）
３０代の女性は、頭が重く、呼吸がしづらい症状があったが、静電気軽減除去具１により静電気の軽減除去を行ったところ、頭の重い感じがなくなり、呼吸がしやすくなった。
【００５５】
実施の形態３．
図８は、実施の形態３に係る静電気軽減除去具を示す斜視図である。図中、図１及び図２と同一部分は同一符号で示してある。
モータ収納部１４は、直径３００ｍｍ、高さ１３０ｍｍであり、第１ガラス容器部１１は底面の直径３０ｍｍ、高さ３０ｍｍである。この静電気軽減除去具１の総重量は略９．０ｋｇである。
【００５６】
この静電気軽減除去具１は、第ガラス容器部１１及び第２ガラス容器部１６を夫々６つ備えている。第２ガラス容器部１６は、その尖部を底蓋２０側に向けた状態で、モータ収納部１４内に取り付けられている。６つの第１ガラス容器部１１は、モータ収納部１４の底面に取り付けられている。この静電気軽減除去具１の内部構造は、図７に示した実施の形態２に係る静電気軽減除去具１と同様である。
【００５７】
この静電気軽減除去具１においては、第１ガラス容器部１１及び第２ガラス容器部１６を６つ備えているので、第１ガラス容器部１１及び第２ガラス容器部１６を各３つ備えた実施の形態２の場合と比較して、効率よく静電気の軽減除去を行うことができ、「こり」が激しい箇所等の患部を早く見つけ出して、早く症状を改善させることができる。この実施の形態３に係る静電気軽減除去具１の押圧時間は、第１ガラス容器部１１を３つ備えた実施の形態２に係る静電気軽減除去具１の押圧時間と比較して、略１／２に短縮することが出来た。
【００５８】
実施の形態４．
図９は、実施の形態４に係る静電気軽減除去具を示す断面図であり、図中、図２と同一部分は同一符号で示してある。
この静電気軽減除去具１においては、ガラス容器部収納部１２はモータ収納部１４に固定されており、回動軸１３には、偏心おもり部２８が取り付けられている。第１ガラス容器部は、底面の直径６０ｍｍ、高さ６０ｍｍであり、この第１ガラス容器部１１を含む静電気軽減除去具１の全長は３７０ｍｍ、直径は１５０ｍｍ、重量は８．０ｋｇである。
【００５９】
この静電気軽減除去具１においては、モータ１９の回転に伴い、偏心おもり部２８が振動し、第１ガラス容器部１１が振動する。
この静電気軽減除去具１を肩こりや腰痛等の患部に押圧して振動させることにより、症状が軽減することが確認されている。
【００６０】
実施の形態５．
図１０は、本発明の実施の形態５に係る静電気軽減除去装置を示す側面図であり、図中、５０は静電気軽減除去装置である。
静電気軽減除去装置５０の静電気軽減除去実施台６０の一端には、スタンド５１が取り付けられている。スタンド５１には、静電気軽減除去具１を支持するための支持部５２が昇降自在に取り付けられており、スタンド５１の上部には滑車５３，５３が取り付けられている。静電気軽減除去具１は、その端部を一方の滑車５３により吊り上げられ、他方の滑車５３に吊り下げられた分銅５４により水平方向に位置決めされた状態で、支持部５２により支持されている。
【００６１】
図１１は、前記静電気軽減除去具１を示す断面図であり、図中、図２と同一部分は同一符号で示してある。
この静電気軽減除去具１のモータ収納部１４には、モータ１９（オリエンタルモータ社製５ＩＫ１５０Ａ−ＢＦ：ＡＣ１００Ｖ、出力１５０Ｗ、トルク４．６ｋｇ／ｃｍ、定格回転数３２００ｒｐｍ）が収納されている。
第１ガラス容器部１１は、底面の直径１２０ｍｍ、高さ１２０ｍｍであり、メタリックシリコン２が０．６ｋｇ、メタリックシリコン２が封入された微小の第１ガラス容器部２７（直径：３ｍｍ、高さ：３ｍｍ）が略３０個、封入されている。第２ガラス容器部１６は、底面の直径１００ｍｍ、高さ１００ｍｍである。
【００６２】
第１ガラス容器部１１にメタリックシリコン２が０．６ｋｇ封入された静電気軽減除去具１、及び第１ガラス容器部１１にメリックシリコン２が０．６ｋｇ、微小の第１ガラス容器部２７が略３０個封入された実施の形態５に係る静電気軽減除去具１夫々について、第１ガラス容器部１１を回転させた状態で人体に当てた場合、前者の静電気軽減除去具は肩こりや腰痛等、軽い症状に効果があったが、後者の静電気軽減除去具は重い症状にも効果があることが確認されている。
【００６３】
上述の第１ガラス容器部１１を含む静電気軽減除去具１の全長は４５０ｍｍ、直径１８０ｍｍ、重量は２７ｋｇである。
この静電気軽減除去装置５０を使用する場合、まず、静電気軽減除去実施台６０の他端に被検者３０を立たせる。そして、被検者３０の押圧場所に対応させて、支持部５２を昇降させ、第１ガラス容器部１１の先端部と被検者３０との間にタオル３１を介在させた後、第１ガラス容器部１１を回転させて被検者３０の体を押圧する。
【００６４】
（症例１）
４０代の女性は、突然のギックリ腰で動けなくなったが、この実施の形態５に係る静電気軽減除去装置５０を用いて１日６時間、静電気を軽減除去するのを５日間繰り返したところ、完治した。
（症例２）
７０代の女性は、３回の交通事故により右足全体の感覚麻痺、触覚の欠如、右肩関節の可動性減少と疼痛、右手及び左手のしびれ感及びこわばり感、左右の肘関節痛の症状があり、指圧治療を続けたが治らなかった。この実施の形態５に係る静電気軽減除去装置５０を用いて、１０時間、静電気の軽減除去を行ったところ、各症状が完治した。
【００６５】
実施の形態６．
図１２は、実施の形態６に係る静電気軽減除去装置を示す側面図であり、図中、図１０と同一部分は同一符号を付してある。
静電気軽減除去装置５０の静電気軽減除去実施台６０に設けられた一方のスタンド５１には、各静電気軽減除去具１，１を支持するための支持部５２，５２が昇降自在に取り付けられており、スタンド５１の上部には滑車５３，５３，５３，５３が取り付けられている。各静電気軽減除去具１，１は、その端部を一方の滑車５３，５３により吊り上げられ、他方の滑車５３，５３に吊り下げられた分銅５４，５４により水平方向に位置決めされた状態で、支持部５２，５２により支持されている。
【００６６】
他方のスタンド５１は、車輪部５６，５６，５６，５６を備えており、被検者３０に向かう方向に進退可能に配置されている。このスタンド５１には、側部５７ａを介して静電気軽減除去具１を支持するための支持部５７が昇降自在に設けられている。
この静電気軽減除去装置５０の各静電気軽減除去具１は、図１１に示した実施の形態５の静電気軽減除去具１と同一である。
【００６７】
この実施の形態６においては、被検者３０の前側１箇所と、被検者３０の後側２箇所とを同時に押圧するので、人体の深部に帯電した静電気を軽減除去するのに効果がある。
この実施の形態６に係る静電気軽減除去装置５０を人体に使用した場合の具体的な症例及び静電気軽減除去装置５０を使用した効果を、以下に説明する。
【００６８】
（症例１）
７０代の女性は、極度に体力が低下し、５歳の孫の世話をするのが困難であったが、１回１２時間の静電気の軽減除去を２回行ったところ、２０年位若返った感じがし、野良仕事と孫の世話とを精力的にこなすようになった。
（症例２）
７０代の女性は、心筋梗塞の症状があり、過労気味の場合及びストレスが溜った場合に、倒れる状態が３０年以上続いているが、１回１２時間の静電気の軽減除去を２回行ったところ、心筋梗塞の発作はその後起こらなくなり、肩こりもなくなった。１１歳の孫を預かって育てているが、支障はない。
（症例３）
２０代の男性は、仕事中、ベニヤ板を頭に乗せてトラックから降ろしていたときに、強風にあおられて首を捻挫した。１年以上、通院しても治らず、痛みがひどくなり、無職となった。６時間の静電気の軽減除去を行ったところ、首の捻挫が完治するとともに、慢性の胃炎も完治した。
【００６９】
実施の形態７．
図１３は、本発明の実施の形態７に係る静電気軽減除去装置を示す側面図であり、図中、図１０と同一部分は同一符号を付してある。
この実施の形態７においては、静電気軽減除去実施台６０の両端に、スタンド５１，５１が取り付けられており、被検者３０は中央部に立つようになしてある。
【００７０】
一方のスタンド５１の支持部５２の側部５２ａには、静電気軽減除去具１のモータ収納部１４の側面に設けられたピン１４ａ，１４ａを水平方向にガイドするためのガイド部５２ｂが設けられている。
支持部５２の下部には、静電気軽減除去具スライド部５５（駆動モータ：オリエンタルモータ社製のＶＨＲ−５６０ＡＭ−ＧＶＨ）が取り付けられており、この静電気軽減除去具スライド部５５のボルト部５５ａを回転させることにより、モータ収納部１４の側面に設けられたナット部１４ｂがスライドし、前記ピン１４ａ，１４ａがガイド部５２ｂ内をスライドして、静電気軽減除去具１が進退するようになしてある。
【００７１】
他方のスタンド５１には、電気軽減除去具１が、支持部５２の側部５２ａの端部に設けられた静電気軽減除去具スライド部５５により、人体に向かう方向に進退可能に移動し、支持部５２の下部に設けられた静電気軽減除去具傾き調整部５５により、支点５９を中心に、水平方向と下向き４５度に回動すべく取り付けてある。
【００７２】
この静電気軽減除去装置５０の静電気軽減除去具１の構成は、図１１に示した実施の形態５の静電気軽減除去具１と同一である。実施の形態５及び６と比較して、第１ガラス容器部１１及び第２ガラス容器部１６の大きさ、モータ１９の種類が異なる。
【００７３】
第１ガラス容器部１１は、底面の直径１８０ｍｍ、高さ１８０ｍｍであり、メタリックシリコン２を１．２ｋｇ、微小ガラス容器部２７（直径：３ｍｍ、高さ：３ｍｍ）を略１０００個含んでいる。第２ガラス容器部１６の大きさは、底面の直径１８０ｍｍ、高さ１８０ｍｍである。
モータ１９は、日立制作所（株）製の三相交流モータＶＴＦＯ−Ｋ２Ｐで、ＡＣ２００Ｖ、出力４００Ｗ、定格回転数３２００ｒｐｍである。
第１ガラス容器部１１を含む静電気軽減除去具１の全長は７２０ｍｍ、直径２４０ｍ、重量は５５ｋｇである。
【００７４】
この実施の形態７においては、被検者３０の押圧場所に対応させて、各静電気軽減除去装置５０の支持部５２を昇降させる。そして、静電気軽減除去具スライド部５５により静電気軽減除去具１を進退させ、押圧の仕方を調整する。
【００７５】
次に、実施の形態７に係る静電気の軽減除去の手順について説明する。
（１）静電気の軽減除去は、静電気軽減除去具１と被検者３０との間にタオル３１を略２０ｃｍの厚さにして挟み込み、第１ガラス容器部１１を回転させる。
（２）静電気軽減除去具１を被検者３０の体に適度（モータ１９に過負荷がかからない程度）に押し付け、そのままの状態を保つ。
（３）押圧部位及びその周辺に病的異常があれば２〜３分でタオル３１が黒こげになり、煙が出る。５分程度で、押圧部位に暖かみを感じた場合、静電気軽減除去具１から体を離し、タオル３１を交換する。
（４）（１）〜（３）を繰り返し２０分続け、終了する。
（５）押圧部位を変えて、（１）〜（４）を繰り返す。
静電気軽減除去は、以下の押圧部位について実施する。
【００７６】
図１４は頭部の静電気の軽減除去部位を示した側面図、図１５は耳部の静電気の軽減除去部位を示した正面図である。
頭部の静電気の軽減除去は、以下のようにして実施する。
（１）生え際（１）と盆の窪（２）とについて同時に静電気の軽減除去を行う。（２）頭頂部（３）と顎骨の下部（４）との静電気軽減除去を行う。
（３）目と目との間の低い部分（５）及びその真後ろの後頭部（６）の静電気軽減除去を行う。
（４）両耳の下部（７）、（８）の静電気軽減除去を行う。
【００７７】
図１６は、胴体部の静電気の軽減除去部位を示した側面図である。
胴体部の静電気軽減除去は、以下のようにして実施する。
（１）鎖骨交差部の上（９）と、首の後ろ、背骨の一番出ている部分の上（１０）とについて、同時に静電気の軽減除去を行う。
（２）みぞおち（１１）と、その真後ろの背骨（１２）との静電気軽減除去を行う。
（３）みぞおちの真下の胃に対応する部分（１３）と、その真後ろの背骨（１４）との静電気軽減除去を行う。
（４）へその下１ｃｍの部分（１５）と、その真後ろの背骨（１６）との静電気軽減除去を行う。
（５）恥骨（１７）と、その真後ろの背骨（１８）との静電気軽減除去を行う。
【００７８】
図１７は、肩部及び腕部の静電気の軽減除去部位を示した正面図である。
肩部及び腕部の静電気軽減除去は、以下のようにして実施する。
（１）両肩骨の下（１９）、（２０）について、同時に静電気軽減除去を行う。（２）肘関節の内側（２１）と、左の肘骨の真上（２２）との静電気軽減除去を行う。
（３）左手首の関節のくるぶしと手の平との間の部分（２３）と、左手首の関節の親指側の部分（２４）との静電気軽減除去を行う。
（４）肘関節の内側（２５）と、右の肘骨の真上（２６）との静電気軽減除去を行う。
（５）右手首の関節のくるぶしと手の平との間の部分（２７）と、左手首の関節の親指側の部分（２８）との静電気軽減除去を行う。
脚部は、各足につき、膝関節の前と後ろとを同時に静電気軽減除去する。
【００７９】
４０代の男性が上述の手順に従って静電気軽減除去を行った場合に、静電気軽減除去の前後で人体の各部につき、静電電位を測定した結果を次の表４に示す。
【００８０】
【表４】
0004387077.tif 000005
【００８１】
表４より、静電気軽減除去により人体の各部の静電電位が小さくなっていることが判る。
この実施の形態７に係る静電気軽減除去装置５０を人体に使用した場合の具体的な症例及び静電気軽減除去装置５０を使用した効果を、以下に説明する。
【００８２】
（症例１）
３０代の女性は、不安感があり、他人との会話がスムーズに出来ないという症状があったが、６時間の静電気軽減除去を行ったところ、不安感がなくなり、他人との会話が出来るようになった。
（症例２）
５０代の男性は、息切れ、体力低下、身体が硬い、関節に痛みがある等の症状があったが、２４時間の静電気軽減除去を行ったところ、体調が良くなり、前屈した場合に両手の手の平が床に付くまでになった。
（症例３）
４０代の男性は、ダンサーで、踊っている時の手足の伸びが悪くなり、身体の動きにスピード感及びアクセントがなくなったという症状があったが、時間の施術を行ったところ、２０代の頃の動きに戻った。
【００８３】
（症例４）
４０代の男性は、頭が重く、不眠の症状があったが、静電気軽減除去を行ったところ、頭が軽くなり、よく眠れるようになった。
（症例５）
５０代の女性は、静電気軽減除去前の視力は、右：０．０８、左：０．０９であり、散瞳後のオートレフラクトメータによる屈折（等価球面置）は右：−４．７５Ｄ、左：−３．３８Ｄであった。１日１回、頭部、体部、四肢等の身体の３６点を２点同時に計６時間、静電気軽減除去し、これを３日繰り返した後の翌日に測定した視力は、右：０．１５、左：０．６であり、散瞳後のオートレフラクトメータによる屈折（等価球面置）は右：−３．５Ｄ、左：−２．１３Ｄであった。静電気軽減除去の前後における眼科一般検査、血液・尿検査に著しい変化は認められなかった。
【００８４】
（症例６）
全身的及び屈折異常以外の眼科的疾患を有しない１０人の健康人を対象として、頭部、体部、四肢等の身体の３６点を２点同時に計６時間、静電気軽減除去するのを２回繰り返し、眼圧を含む眼科一般検査、血液・尿検査及び血圧測定を実施した。静電気軽減除去前の眼圧に対し、２回の静電気軽減除去を行った１週間後まで有意な眼圧降下が認められた。静電気軽減除去前、静電気軽減除去を２回行った後の翌日、１週間後の眼圧（ｍｅａｎ±ＳＤ）は、各々１４．２±２．７ｍｍＨｇ、１１．８±３．２ｍｍＨｇ、１２．３±３．６ｍｍＨｇであった。臨床的に問題となる副作用は、眼科的にも全身的にも認められなかった。従って、緑内障の治療法として有効であると考えられる。
【００８５】
（症例７）
３０代の男性は、重度の糖尿病を患い、体全体にむくみが見られ、ひどい悪寒がして体力が低下し、血糖値は４９０であった。１２時間、静電気軽減除去を行ったところ、体のむくみが消滅し、さらに６０時間、静電気軽減除去を行ったところ、血糖値が２３０まで下がった。
以上、詳述したように、本発明に係る静電気軽減除去具１及び静電気軽減除去装置５０を用いることにより、各症状が改善することが確認された。
なお、各実施の形態においては、Ｓｉ又はＳｉＯx を負に帯電させて第１ガラス容器部１１及び第２ガラス容器部１６に封入した場合につき説明しているがこれに限定されるものではなく、鉱物，Ａｌ，Ｐ，Ｇｅ，Ｓｎ，Ｐｂ，Ｎｉ又はＦｅ等を負電荷化させて第１ガラス容器部１１及び第２ガラス容器部１６に封入することにしてもよい。
【図１】
0004387077.tif 000006
【図２】
0004387077.tif 000007
【図３】
0004387077.tif 000008
【図４】
0004387077.tif 000009
【図５】
0004387077.tif 000010
【図６】
0004387077.tif 000011
【図７】
0004387077.tif 000012
【図８】
0004387077.tif 000013
【図９】
0004387077.tif 000014
【図１０】
0004387077.tif 000015
【図１１】
0004387077.tif 000016
【図１２】
0004387077.tif 000017
【図１３】
0004387077.tif 000018
【図１４】
0004387077.tif 000019
【図１５】
0004387077.tif 000020
【図１６】
0004387077.tif 000021
【図１７】
0004387077.tif 000022